(57)【特許請求の範囲】
【請求項１】
水性液浸透性ベース基材の一方の面に水溶性の糊層が設けられると共に、該糊層上に肌色インキ層および／または光反射抑制インキ層、透明接着層からなる順次積層体が印刷により設けられ、かつ、該順次積層体が、三角形状、または菱形状の網点であり、かつ、該網点がランダム状に配置されるか、或いは相互に等間隔で離間して配置されるか、またはチェーンドット状に配置されて転写パターンとされることを特徴とする化粧用隠蔽シール。
【請求項２】
水性液浸透性ベース基材の一方の面に水溶性の糊層が設けられると共に、該糊層上に肌色インキ層および／または光反射抑制インキ層、透明保護層、透明接着層からなる順次積層体が印刷により設けられ、かつ、該順次積層体が、三角形状、または菱形状の網点であり、かつ、該網点がランダム状に配置されるか、或いは相互に等間隔で離間して配置されるか、またはチェーンドット状に配置されて転写パターンとされることを特徴とする化粧用隠蔽シール。
【請求項３】
水性液浸透性ベース基材の一方の面に水溶性の糊層が設けられると共に、該糊層上に透明保護層、肌色インキ層および／または光反射抑制インキ層、透明接着層からなる順次積層体が印刷により設けられ、かつ、該順次積層体が、三角形状、または菱形状の網点であり、かつ、該網点がランダム状に配置されるか、或いは相互に等間隔で離間して配置されるか、またはチェーンドット状に配置されて転写パターンとされることを特徴とする化粧用隠蔽シール。
【請求項４】
網点がランダム状に配置されて転写パターンを形成する場合には、網点の面積が０．０３〜０．２０ｍｍ2 であり、かつ、網点面積率は２０〜１００％であることを特徴とする請求項１〜請求項３記載のいずれか１つ記載の化粧用隠蔽シール。
【請求項５】
網点が相互に等間隔で離間して配置されるか、またはチェーンドット状に配置されて転写パターンを形成する場合には、網点の線数が２０〜２００線／ｉｎｃｈであり、かつ、網点面積率が２０〜１００％であることを特徴とする請求項１〜請求項３記載のいずれか１つ記載の化粧用隠蔽シール。
【請求項６】
転写パターンを、円形状、楕円形、または四角形状とし、該パターン端縁から適宜の幅で設けられるパターン端縁部と該端縁部に囲まれる中心部とから構成し、該中心部端縁から該パターン端縁に向けて、網点面積率を２０〜１００％から２０〜３０％となるように漸次低下させ、網点面積率にグラデーションを付けたことを特徴とする請求項１〜請求項５記載のいずれか１つ記載の化粧用隠蔽シール。
【請求項７】
転写パターン上に、剥離性保護フイルムが積層されていることを特徴とする請求項１〜請求項６記載のいずれか１つ記載の化粧用隠蔽シール。
【請求項８】
請求項１〜請求項６のいずれか１つ記載の化粧用隠蔽シールにおける転写パターンを肌の凹凸及び濃色部分に転写することを特徴とする肌の凹凸及び濃色部分の化粧方法。
【請求項９】
請求項７記載の化粧用隠蔽シールにおける剥離性保護フイルムを剥離した後、転写パターンを肌の凹凸及び濃色部分に転写することを特徴とする肌の凹凸及び濃色部分の化粧方法。
【発明の詳細な説明】
【０００１】
【発明の属する技術分野】
本発明は、化粧用隠蔽シールに関し、更に詳しくは、(1) ニキビ等により「クレーター状」ともいえる程皮膚上の凹凸が顕著になった場合、(2) 熱傷によるケロイド跡や植皮跡、(3) 手術跡や傷跡、(4) 毛穴、(5) しわ等の皮膚の凹凸や、また、(1) しみ、ソバカス、(2) あざ等の皮膚の濃色部分（以下、皮膚の凹凸および濃色部分という）を隠すために用いる化粧用隠蔽シールおよび該化粧用隠蔽シールを使用した肌の凹凸及び濃色部分の化粧方法に関する。
【０００２】
【従来の技術】
従来、肌の凹凸及び濃色部分を隠すためには、ファンデーション、その他塗布方式の化粧品が使われていた。しかし、このような塗布方式の化粧品で隠すためには、肌色との調和など化粧に手間と時間を要し、簡便性に欠けるほか、その隠蔽性が不足するため、ある程度目立たなくすることはできても十分にその目的を達成することはできなかった。特に、顔のしわは一般的に年齢が高くなるほどできやすく、しかもしわの深さも深くなる傾向があり、塗布方式の化粧品で隠すには限界がある場合が多い。
【０００３】
このような問題を解決するために、例えば、肌色に着色したフィルムを隠したい部分に貼る方法が考えられるが、肌色にフィルムを貼った場合には次のような問題がある。フィルムに厚さがあり、特にその端部が目立ちやすいこと、表面にテカリ（艶）が出やすく、肌の状態に近づけることが難しい、伸縮性を肌に合わせることが難しいこと（曲げ伸ばしなど動きのある身体の部位に貼着する場合、皮膚の動きに追随する必要がある）、水分透過性が低く、汗によるムレを生じるなどである。
【０００４】
また、肌に直接、マーク、刺青等の装飾を付ける方法として、例えば実公昭４０−３６１９８号公報に記載されるように、剥離紙上に印刷層、感圧性粘着剤層を順次積層した転写マークが知られ、また、特許第２８９１２５６号には、水性液浸透性シート上に艶消表層、直接又は保護層を介して印刷または塗膜層、粘着剤層を順次積層した転写シールが記載され、印刷層または塗膜層として樹脂、各種の充填剤、各種の顔料等からなることを記載し、入れ墨転写シールとして有用であることが記載されているが、この転写シールは肌にマーク、刺青等の装飾を施すことを目的とするものであり、肌のしわ、傷、しみ、あざ、そばかすなどを隠すために使用される化粧シートとはその目的を相違する。
【０００５】
【発明が解決しようとする課題】
本発明は、肌の凹凸及び濃色部分を隠すことができ、柔らかく、伸縮性があって肌にフィットしやすく、水分透過性（透湿度）が高くてムレることがなく、また、表面に「テカリ」がなく、その上に化粧品が付きやすく、化粧用として簡便、且つ良好に使用できる化粧用隠蔽シール、および化粧方法を提供することを目的とする。
【０００６】
【課題を解決するための手段】
上記の目的を達成する本発明の第１の化粧用隠蔽シールは、水性液浸透性ベース基材の一方の面に水溶性の糊層が設けられると共に、該糊層上に肌色インキ層および／または光反射抑制インキ層、透明接着層からなる順次積層体が印刷により設けられ、かつ、該順次積層体が、三角形状、または菱形状の網点であり、かつ、該網点がランダム状に配置されるか、或いは相互に等間隔で離間して配置されるか、またはチェーンドット状に配置されて転写パターンとされることを特徴とする。
【０００７】
本発明の第２の化粧用隠蔽シールは、水性液浸透性ベース基材の一方の面に水溶性の糊層が設けられると共に、該糊層上に肌色インキ層および／または光反射抑制インキ層、透明保護層、透明接着層からなる順次積層体が印刷により設けられ、かつ、該順次積層体が、三角形状、または菱形状の網点であり、かつ、該網点がランダム状に配置されるか、或いは相互に等間隔で離間して配置されるか、またはチェーンドット状に配置されて転写パターンとされることを特徴とする。
【０００８】
本発明の第３の化粧用隠蔽シールは、水性液浸透性ベース基材の一方の面に水溶性の糊層が設けられると共に、該糊層上に透明保護層、肌色インキ層および／または光反射抑制インキ層、透明接着層からなる順次積層体が印刷により設けられ、かつ、該順次積層体が、三角形状、または菱形状の網点であり、かつ、該網点がランダム状に配置されるか、或いは相互に等間隔で離間して配置されるか、またはチェーンドット状に配置されて転写パターンとされることを特徴とする。
【０００９】
上記の網点がランダム状に配置されて転写パターンを形成する場合には、網点の面積が０．０３〜０．２０ｍｍ2 であり、かつ、網点面積率は２０〜１００％であることを特徴とする。
【００１０】
上記の網点が相互に等間隔で離間して配置されるか、またはチェーンドット状に配置されて転写パターンを形成する場合には、網点の線数が２０〜２００線／ｉｎｃｈであり、かつ、網点面積率が２０〜１００％であることを特徴とする。
【００１３】
上記の転写パターンを、円形状、楕円形、または四角形状とし、該パターン端縁から適宜の幅で設けられるパターン端縁部と該端縁部に囲まれる中心部とから構成し、該中心部端縁から該パターン端縁に向けて、網点面積率を２０〜１００％から２０〜３０％となるように漸次低下させ、網点面積率にグラデーションを付けたことを特徴とする。
【００１４】
上記の転写パターン上に、剥離性保護フイルムが積層されていることを特徴とする。
【００１５】
また、本発明の肌の凹凸及び濃色部分の化粧方法は、上記の化粧用隠蔽シールにおいて、剥離性保護フイルムが積層されている場合には剥離性保護フイルムを剥離した後、その転写パターンを肌の凹凸及び濃色部分に転写することを特徴とする。
【００１６】
【発明の実施の形態】
以下、本発明の実施の形態を図面に基づいて詳細に説明する。図１は、本発明の第１の化粧用隠蔽シールにおける転写部での断面図、図２は本発明の第２の化粧用隠蔽シールにおける転写部での断面図、図３は本発明の第３の化粧用隠蔽シールにおける転写部での断面図であり、図中、それぞれ１は化粧用隠蔽シール、２は水性液浸透性ベース基材、３は水溶性の糊層、４は肌色インキ層および／または光反射抑制インキ層、５は透明接着層、６は剥離性保護フイルム、７は透明保護層、８は転写部である。
【００１７】
第１の化粧用隠蔽シール１は、図１に示すように、一方の面に水溶性の糊層３が設けられた水性液浸透性ベース基材２と、該糊層上に設けられた肌色インキ層および／または光反射抑制インキ層４、透明接着層５の順次積層体からなる転写部８と、該転写部からなる転写パターン上に積層される剥離性保護フイルム６とからなり、該転写部８はベタ印刷であってもよいが、好ましくは網点からなる印刷パターンである。
【００１８】
第１の化粧用隠蔽シール１にあっては、水性液浸透性ベース基材２表面に適用されて該ベース基材を浸透した水性液により糊層３の接着力が低下することを利用して、転写部８が水性液浸透性ベース基材から剥離可能とされ、肌に透明接着層５面から接着可能とされるものである。
【００１９】
水性液浸透性ベース基材２としては、例えば吸水性紙、不織布、多孔性プラスチックフイルム等が例示されるが、転写パターンを肌に転写するに際して、水性液浸透性ベース基材上から水性液を綿等を使用して浸透させる観点からすると水分透過性（透湿度）が大きければ大きいほどよい。中でも吸水性紙が水性液の浸透性に優れるので好ましい。なお、透湿度が低いフィルムを使用する場合には、ロールブレスト（傷つけ）、加熱針、レーザ光照射などの方法で微細孔を設けて透湿度を高くすることが好ましい。
【００２０】
水溶性の糊層３は、水溶性樹脂、例えばエチルセルロース、ヒドロキシプロピルセルロース、セルロースガム等の水溶性セルロース誘導体、グルコース、マルトース等の多糖類、カルボキシビニルポリマー、アクリル酸オクチルアミド−アクリル酸ヒドロキシプロピル−メタクリル酸ブチルアミノエチル共重合体等の水溶性有機高分子、モンモリロナイト等の粘土鉱物類、アラビアゴム、デンプン糊、マルメロ抽出物等の天然水溶性高分子等の溶液を水性液浸透性ベース基材上に塗布することにより積層される。
【００２１】
水溶性の糊層３中には、艶消剤を含有させて糊層表面をマット化しておくと転写部を皮膚に転写した際に転写部表面を艶消し状態とでき、所謂「テカリ」を抑えることができる。艶消剤としては、シリカ、炭酸カルシウム、クレー、アルミナ、酸化チタン等を挙げることができる。艶消剤は、水溶性樹脂に対して艶消しの目的に応じて０．１〜８０重量％、好ましくは２〜４０重量％、更に好ましくは３〜３０重量％含有させるとよく、上記水溶性樹脂溶液中に分散した後、水性液浸透性ベース基材上に塗布することにより積層される。
【００２２】
水性液浸透性ベース基材上に水溶性の糊層を積層したものとしては、例えば日東紙工（株）製の陶磁器用転写用紙「ＳＫ」等を例示することができ、また、艶消剤を糊層中に含有させたものとしては、例えば日東紙工（株）製の陶磁器用転写用紙「ＳＫマット」等を例示することができる。
【００２３】
転写部８は、肌色インキ層または光反射抑制インキ層４、透明接着層５の順次積層体からなり、化粧品として人体に無害で皮膚に対しても安全であることが要求され、また、水性液浸透性ベース基材に水性液を浸透させた際に溶解等の影響を受けないものであることが要求される。
【００２４】
肌色インキ層は、体質顔料、着色顔料、バインダー樹脂、溶剤からなる。
【００２５】
体質顔料としては、タルク、セリサイト、マイカ、カオリン、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、シリカ、ゼオライト、硫酸バリウム、焼成硫酸カルシウム、リン酸カルシウム、フッ素アパタイト、ヒドロキシアパタイト、金属石鹸、窒化ホウ素、セルロースパウダー、亜鉛華等が例示される。
【００２６】
着色顔料としては、カーボンブラック、酸化チタン、酸化亜鉛、酸化鉄、群青、紺青、酸化クロム、有機タール系色素、レーキ等の着色剤、雲母チタン、酸化鉄コーテッド雲母等の複合顔料、これらの着色顔料をシリコーン化合物、フッ素変成シリコーン化合物、フッ素化合物、高級脂肪酸、高級アルコール、脂肪酸エステル、金属石鹸、アミノ酸、アルキルフォスフェート等により表面処理したもの等が例示され、また、着色染料としてアシッドレッド、スダンIII 、オレンジII、ファストグリーン、フタロシアニンブルー等を使用してもよい。
【００２７】
バインダー樹脂としては、無色透明な樹脂、例えばトリメチルシロキシケイ酸、ビニルピロリドン・アイコセン共重合体、ポリアクリル酸エチルエステル、酢酸ビニル樹脂、ニトロセルロース、ヒドロキシプロピルセルロース等が例示され、トリメチルシロキシケイ酸としては信越化学工業（株）製の「ＫＦ７３１２Ｆ」、「ＫＦ７３１２Ｊ」、「ＫＦ７３１２Ｋ」、「ＫＦ９００１」、「ＫＦ９００２」等が、ビニルピロリドン・アイコセン共重合体としてはガフ社製の「Ａｎｔａｒｏｎ  Ｖ−２００」等が、ポリアクリル酸エチルエステルとしては大東化成（株）製の「ダイトゾール５０００ＡＳ」等が、酢酸ビニル樹脂としては積水化学（株）製の「エスダイン５２００」、「エスダイン５３０１」等がそれぞれ例示され、また、インキにおける樹脂成分として市販される無色透明メジウム、例えばウレタン系樹脂からなる（株）セイコーアドバンス製「ＳＧ４１０  ８００メジウム」、また、特殊ゴム系樹脂からなる同社製「ＴＵＰ−５５」、同「ＴＵＰ−５６」等を使用できる。
【００２８】
溶剤としては、例えばシクロヘキサノン、イソホロン、エステル系溶剤、石油系炭化水素溶剤等が例示されるが、インキ溶剤として市販される、上記溶剤の混合溶剤からなる例えば（株）セイコーアドバンス製の「Ｔ−９４２」が使用できる。
【００２９】
体質顔料と着色顔料は適宜混合され、自然な肌色に調色されるが、一般的に化粧品として使用されている肌色のファンデーションの粉末部に近いものが好ましく用いられる。具体的には、粉末全量に対して着色顔料を７０重量％以下、好ましくは３〜６０重量％の割合で混合された粉末部であり、所望の隠蔽性に合わせて酸化チタン、酸化亜鉛を配合すればよく、酸化チタン、酸化亜鉛の配合量は各々０〜４０重量％であることが好ましい。このような構成をとることで、日ごろ使用されているファンデーションとくらべ外観上も違和感のないメーキャップが可能て、肌の凹凸や濃色部分の隠蔽効果に優れた効果が得られる。なお、特にしみやあざを隠蔽するシールには、通常のファンデーションの粉末部より彩度が高くなるように体質顔料と着色顔料を選択することがさらに好ましい。
【００３０】
肌色インキとしては、前記の体質顔料と着色顔料の混合物に対して、バインダー樹脂を５０重量％以上、好ましくは１００重量％〜４００重量％の割合で混合し、溶剤を使用して２５℃での粘度を２０ｍＰａ・ｓ〜１００Ｐａ・ｓに調整して得られる。
【００３１】
また、光反射抑制インキ層は、上記の肌色インキの項で説明したバインダー樹脂、溶剤を同様に使用して得られるが、顔料に代えて光の正反射と拡散反射の双方の反射が抑制されている粉末（主に球状粉末）が使用される。このような球状粒子としては、例えばポリメタクリル酸メチル、ポリエチレン、ナイロン、シリコーンゴム、シリコーンレジン等の有機樹脂粒子、シリカ等の無機粒子が例示され、平均粒径が０．１μｍ〜５０μｍ、好ましくは０．４μｍ〜２０μｍ程度のものである。
【００３２】
光反射抑制インキは、光の正反射と拡散反射の双方の反射が抑制されている粉末に対してバインダー樹脂を５０重量％以上、好ましくは１００重量％〜４００重量％の割合で混合し、溶剤を使用して２５℃での粘度を２０ｍＰａ・ｓ〜１００Ｐａ・ｓに調整して得られる。光反射抑制インキは、皮膚上に適用されて、しわや毛穴といった肌の凹凸を見えにくくする効果がある。
【００３３】
なお、上記した肌色インキ層においても、顔料と共に光の正反射と拡散反射の双方の反射が抑制されている粉末（主に球状粉末）を含有させることが好ましく、また、肌色インキ層または光反射抑制インキ層には、その接着性の改良を目的としてバインダー樹脂溶液と相溶性のある炭化水素油、エステル油、シリコーン油等の油分を適宜添加してもよく、他に香料、酸化防止剤、保湿剤、薬剤などを適宜添加してもよい。
【００３４】
また、バインダー樹脂としてそれ自体粘着性を有する樹脂を使用すれば、インキ層自体に粘着性を持たせることもできる。これらの場合には、後述する透明接着層５は省略してもよい。
【００３５】
肌色インキ層は、水溶性の糊層上に、凸版印刷、オフセット印刷、グラビア印刷、シルク印刷によりベタ印刷、または網点印刷で乾燥膜厚０．５μｍ〜１００μｍに塗工されるとよい。膜厚を厚くする場合には重ね刷りにより塗工されるとよく、これにより濃い濃度の肌色インキ層とできる。
【００３６】
また、光反射抑制インキ層も同様にベタ印刷、または網点印刷により膜厚０．５μｍ〜１００μｍで積層されるとよく、肌色インキ層の上に光反射抑制インキ層を積層しても、また、その逆でもよい。
【００３７】
次に、透明接着層５は、インキ層上に必要に応じて設けられるもので、適宜の粘着力を有すると同時に人体に無害で皮膚に対しても安全であることが要求される。透明接着剤としては、例えばアクリル系等の粘着剤が例示され、例えば東洋インキ製造（株）製の「オリバインＢＰＳ４８４９−４０」、日本カーバイド（株）製のアクリル酸アクリル共重合体エマルジョン、和光製薬（株）製のハイビスワコー１０３、日本純薬（株）製のアロンビスＳ等が例示される。
【００３８】
透明接着剤層は、インキ層と同一の網点パターンで、凸版印刷、オフセット印刷、グラビア印刷、シルク印刷により膜厚１μｍ〜５０μｍで塗工されるとよく、膜厚を厚くする場合には重ね刷りにより層形成されるとよい。
【００３９】
また、本発明の第２の化粧用隠蔽シールにあっては、図２に示すように、第１の化粧用隠蔽シールにおけるインキ層と透明接着層間に透明保護層を設けるもので、糊層上に肌色インキ層および／または光反射抑制インキ層、透明保護層、透明接着層からなる順次積層体が積層される。
【００４０】
透明保護層７は、第１の化粧用隠蔽シールにおけるインキ層の項で記載したバインダー樹脂と溶剤とを使用して、インキ層や透明接着層と同一パターンで網点印刷によりインキ層上に形成されるもので、膜厚０．５μｍ〜１００μｍで積層されるとよく、膜厚を厚くする場合には重ね刷りにより層形成されるとよい。
【００４１】
インキ層は、顔料や光の正反射と拡散反射の双方の反射が抑制されている粉末等を分散させているために、強度が低下しているが、透明保護層７を設けることにより、インキ層における低下した強度を補うことができる。また、肌等に転写した際に、インキ層の厚みを増すことなく、透明保護層の厚さだけ転写パターンの厚みを増すことができるので、深さの大きい傷やしわの隠蔽用として適したものとできる。
【００４２】
また、本発明の第３の化粧用隠蔽シールにあっては、図３に示すように、第１の化粧用隠蔽シールにおける糊層とインキ層間に透明保護層を設けるもので、糊層上に透明保護層、肌色インキ層および／または光反射抑制インキ層、透明接着層からなる順次積層体とされる。
【００４３】
透明保護層７は、上述の第２の化粧用隠蔽シールにおける透明保護層と同様の材料、膜厚で、インキ層や透明接着層と同一パターンでベタ印刷または網点印刷により糊層上に形成される。
【００４４】
第３の化粧用隠蔽シールにあっては、転写パターンを肌に転写した際にインキ層上に透明保護層７が設けられるので、顔料や光の正反射と拡散反射の双方の反射が抑制されている粉末等の含有により強度の低下したインキ層の強度を補強すると共に、擦れ等によるインキ層の剥離を減少させることができ、長時間、転写パターンを素肌に貼り付けておくことができる。
【００４５】
なお、上記の第１〜第３の化粧用隠蔽シールにおいて、転写部にあっても水分透過性や通気性を良くするために、その構成層であるインキ層、透明接着層、また、透明保護層を実開平６−７８９６８号公報に記載の気泡を均一に分散した塗布液を用いるなどの方法により形成してもよく、これにより、水分透過性や通気性のある塗布層とできる。
【００４６】
次に、上述した第１〜第３の化粧用隠蔽シールにおける転写部８が網点である場合について説明する。
【００４７】
図４に皮膚の拡大写真を示すように、皮膚表面は、例えば２０代の肌の状態は、三角形状の凸状部が集合した状態にあり、所謂キメの細かい肌であるが、年齢を経るにつれ図示はしないがその三角形状は大きくなり、また、凸状部間の溝は浅くなる傾向にある。そのため、本発明にあっては、網点の形状として三角形状、菱形形状とするものであり、これにより、ベタ印刷や円形状の網点に比して肌との違和感がなく、馴染みを良好なものとでき、また、網点の配列に規則性を無くすことによっても同様に肌との違和感を軽減できるものである。また、網点の大きさやその厚みを適宜に設定することにより、年齢に応じた肌との馴染みの良好な化粧用隠蔽シールとできる。
【００４８】
次に、網点からなる転写パターンについて、図５、図６にしめす１６倍に拡大した模式図により説明する。図５の（ａ）に示す四角形状の転写パターンは、大きさの等しい三角形状の網点を相互に等間隔で離間して規則的に配列したもの、また、図５（ｂ）に示す四角形状の転写パターンは、大きさの等しい菱形形状の網点を縦列においてチェーンドット状に規則的に配列したもので網点面積率４０％のもの、図５（ｃ）に示す四角形状の転写パターンは、大きさの等しい菱形形状の網点を相互に等間隔で離間して配列したもので網点面積率５０％のものである。
【００４９】
このような転写パターンは、凸版印刷、オフセット印刷、グラビア印刷、シルク印刷により形成するとよく、例えば、線数が２０〜２００線／ｉｎｃｈ、好ましくは、４０〜８０線／ｉｎｃｈで、かつ、網点面積率が２０〜１００％、好ましくは４０〜８０％とするとよい。
【００５０】
また、図６に示すランダムな形状の転写パターンは、大きさの相違する三角形状の網点をランダムに配列したものである。ランダムパターンの場合には、それぞれの網点の面積は０．０３〜０．２０ｍｍ2 の範囲で同じか、または相互に相違させたものとし、網点面積率は２０〜１００％、好ましくは４０〜８０％とするとよい。
【００５１】
本発明における転写パターンは、上記の図５、図６に示すものには限定されず、例えば網点が縦方向、横方向に相互に等間隔で離間して配置された通常の網点パターンとしてもよい。また、網点の形状、大きさ、また、配列に際しての規則性の有無の各ファクターは、適用される肌の状態に応じて適宜変化させると共に適宜に組み合わせて転写パターンとするとよい。
【００５２】
転写パターンの全体の形状は、図５のごとく四角形状の他に例えば円形、楕円形、そら豆状等の任意の形状が可能であるが、その大きさ含め、肌の状態に応じて適宜の形状、大きさのものとするとよい。
【００５３】
本発明の化粧用隠蔽シールにあって、その転写パターンを三角形または菱形状の網点から構成し、その網点面積率、膜厚、色合い等を適宜調整することにより、肌の凹凸及び濃色部分を隠蔽すると共に肌に馴染みのよい転写パターンとでき、また、網点のあいた部分での素肌の色と転写パターンの色とを馴染ませることができる。また、伸縮性を肌に合わせることができ、水分透過性が高く、汗によるムレを生じることがないものとできる。
【００５４】
また、転写パターン全体の形状を、該パターン端縁から適宜の幅で設けられるパターン端縁部と該端縁部に囲まれる中心部とから構成し、パターン端縁部内において、中心部における２０〜１００％の網点面積率をパターン端縁で２０〜３０％の網点面積率となるように漸次低下させ、グラデーションを付けることにより、肌に転写した際のシール際を目立たなくすることができ、自然な仕上がりとなるので好ましい。
【００５５】
上記の第１〜第３の化粧用隠蔽シールにおけるそれぞれの転写パターン上には、図１〜図３に示すように、保護フィルム６を剥離可能な状態で被覆しておくとよい。保護フイルムとしては、その貼着表面が離型処理された膜厚２０μｍ〜１００μｍのポリエチレンフイルム、ポリプロピレンフイルム、ポリエチレンテレフタレートフイルム等が例示される。保護フイルムを設けることにより、接着層５の粘着力を保持し、また不要なゴミ等の付着により粘着力の低下を防止することができる。
【００５６】
本発明の化粧用隠蔽シールを使用するにあたっては、保護フィルム６を剥離した後、素肌の目的の位置、例えば凹凸及び濃色部分の隠したい位置の上に接着層５側から押し当てて貼り付け、さらに、ベース基材２表面を水性液、例えば水、水−アルコール混合液で濡らし、ベース基材を浸透させて水溶性の糊層３の接着力を低下させることにより、ベース基材２及び水溶性の糊層３を取り去ればよい。外観上に肌色インキ層または光反射抑制インキ層が現れて、隠したい部分を隠蔽、また、見えにくくすることができる。なお、水溶性の糊層３は、転写パターンと共に皮膚に転写されても、水や水−アルコール等の水性液を使用して容易に除去することができる。
【００５７】
肌上に転写パターンを転写した後、日頃使用しているファンデーションを使用して更に化粧を行うことができるので、更に、違和感のないメークアップをすることができる。
【００５８】
【実施例】
以下、実施例により本発明を詳細に説明する。
（実施例１）
（肌色インキの作製）
球状ナイロンパウダー                        ２５    重量部
タルク                                      ３７．３重量部
二酸化チタン                                １０    重量部
チタン酸亜鉛                                １０    重量部
黄色酸化鉄                                    ４    重量部
ベンガラ                                      １    重量部
群青                                          ０．５重量部
メチルパラベン                                ０．２重量部
の組成を、ヘンシェルミキサーに坪込み低速混合し、０．１ｍｍ丸穴スクリーンを装着したパルベライザーで粗粉砕して体質顔料と着色顔料とを混合した。
【００５９】
得られた混合物１００重量部に、（株）セイコーアドバンス製「ＳＧ４１０  ８００メジウム」１００重量部、（株）セイコーアドバンス製の「Ｔ−９４２」１００重量部とを均一に混合分散し、２５℃で７５０ｍＰａ・ｓの肌色インキを調製した。
【００６０】
（化粧用隠蔽シールの作製）
水性液浸透性ベース基材として日東紙工株式会社製の転写用紙「ＳＫマット」を使用し、その糊層面に上記で調製した肌色インキを使用したシルクスクリーン印刷により、図６に示す網点配置で、網点面積を０．０３ｍｍ2 〜０．２０ｍｍ2 の範囲で面積の異なる三角形状の網点を、網点面積率５０％として、膜厚１５μｍの肌色インキ層を設けた。なお、図６に示すパターン形状は略四角形状であるが、本実施例にあっては、直径１．５ｃｍの円形パターンに形成した。
【００６１】
続いて、東洋インキ製造（株）製「オリバインＢＰＳ４８４９−４０」を使用して、上記のインキ層と同一パターンでインキ層上に膜厚１５μｍの透明接着層を印刷形成し、インキ層、透明接着層からなる転写パターンを形成した。更に、転写パターン上に表面離型性の膜厚５０μｍのポリプロピレンフイルムを貼着し、保護フイルムを貼着し、第１の化粧用隠蔽シールを作製した。
【００６２】
このようにして作製した化粧用隠蔽シールについて、その保護フィルムを剥離し、顔のしわの部分に貼り付けた後、水性液浸透性ベース基材の表面を水で湿らせてベース基材を剥離したところ、しわが隠された状態となり、隠蔽性も十分高く、しかも素肌と違和感がなく、十分実用性のあることを確認した。
【００６３】
（実施例２）
実施例１における化粧用隠蔽シールの作製において、網点面積０．１０ｍｍ2 の同一形状の三角形の網点をランダムに配置し、網点面積率５０％とした以外は、実施例１と同様にして化粧用隠蔽シールを作製した。得られた化粧用隠蔽シールは、実施例１で作製した化粧用隠蔽シールと同様に、顔のしわの部分に適用したところ、実施例１同様の効果が得られるものであった。
【００６４】
（実施例３）
実施例１における化粧用隠蔽シールの作製において、肌色インキ層上に、バインダー樹脂として（株）セイコーアドバンス製「ＳＧ４１０  ８００メジウム」５０重量部、インキ溶剤として（株）セイコーアドバンス製の「Ｔ−９４２」５０重量部とからなる樹脂溶液を使用して、インキ層と同一パターンでインキ層上に膜厚１５μｍの透明保護層を形成した。次に、透明保護層上に、実施例１同様に透明接着層、保護フイルムを積層し、第２の化粧用隠蔽シールを作製した。
【００６５】
得られた化粧用隠蔽シールは、実施例１で作製した化粧用隠蔽シールと同様に、顔における深いしわの部分に適用したところ、実施例１同様の効果が得られるものであった。
【００６６】
（実施例４）
実施例１における化粧用隠蔽シールの作製において、水性液浸透性ベース基材における糊層上にバインダー樹脂として（株）セイコーアドバンス製「ＳＧ４１０  ８００メジウム」５０重量部、インキ溶剤として（株）セイコーアドバンス製の「Ｔ−９４２」５０重量部とからなる樹脂溶液を使用して、実施例１におけるインキ層と同一パターンで糊層上に膜厚１５μｍの透明保護層を形成した。次に、透明保護層上に、実施例１同様に肌色インキ層、透明接着層、保護フイルムを積層し、第３の化粧用隠蔽シールを作製した。
【００６７】
得られた化粧用隠蔽シールは、実施例１で作製した化粧用隠蔽シールと同様に、顔における深いしわの部分に適用したところ、実施例１同様の効果が得られるものであり、また、転写パターンの強度に優れるものであった。
【００６８】
（実施例５）
住友精化（株）製「球状ポリエチレンＳＳ−１」（平均粒径１０μｍ、屈折率１．５２）の球状粒子１００重量部に、バインダー樹脂として（株）セイコーアドバンス製「ＳＧ４１０  ８００メジウム」１００重量部、インキ溶剤として（株）セイコーアドバンス製の「Ｔ−９４２」１００重量部とを均一に混合分散し、２５℃で７５０ｍＰａ・ｓの光反射抑制インキを調製した。
【００６９】
実施例１における化粧用隠蔽シールの作製において、肌色インキに代えて、上記で得た光反射抑制インキを使用して同様の網点パターンをシルク印刷により、膜厚１５μｍで光反射抑制インキ層を形成した以外は、実施例１と同様にして化粧用隠蔽シールを作製した。
【００７０】
得られた化粧用隠蔽シールは、実施例１で作製した化粧用隠蔽シールと同様に、顔におけるしわの部分に適用したところ、しわがぼやけて見えにくくなり、しかも素肌と違和感がなく、十分実用性のあることを確認した。
【００７１】
（実施例６）
実施例１における化粧用隠蔽シールの作製において、その肌色インキ層上に、実施例５で調製した光反射抑制インキを使用して肌色インキ層と同様のパターンで実施例５同様に光反射抑制インキ層を形成した以外は、実施例１と同様にして化粧用隠蔽シールを作製した。
【００７２】
得られた化粧用隠蔽シールを実施例１で作製した化粧用隠蔽シールと同様に、顔におけるしわの部分に適用したところ、より隠蔽性に優れるものとできた。
【００７３】
【発明の効果】
本発明の第１の化粧用隠蔽シールによれば、肌の凹凸及び濃色部分を隠蔽することができると共に、表面にテカリがなく、素肌の色と転写パターンの色とを馴染ませることができる。また、転写部を三角形や菱形の網点からなる転写パターンとすることにより、肌に馴染みのよい転写パターンとでき、また、網点のあいた部分から素肌が見え、また、伸縮性を肌に合わせることができ、水分透過性が高く、汗によるムレを生じることがないものとできる。また、インキ層を通常使用されるファンデーションの粉末部から構成するため、転写パターン上に通常使用される化粧品がつきやすく、化粧用として簡便、且つ良好に使用できるものである。
【００７４】
また、第２の化粧用隠蔽シールは、深いしわや傷を目立たないように隠蔽できるものであり、また、第３の化粧用隠蔽シールは、耐擦性に優れた転写パターンとでき、長時間素肌に貼り付けて維持することができる。
【００７５】
上記の種々の積層構成、網点面積率を個人毎の状態に適応させて使いわけることで、様々な化粧用隠蔽シールを提供することができ、汎用性も高く有用である。
【図面の簡単な説明】
【図１】  図１は、本発明の第１の化粧用隠蔽シールにおける転写部での断面図である。
【図２】  図２は、本発明の第２の化粧用隠蔽シールにおける転写部での断面図である。
【図３】  図３は、本発明の第３の化粧用隠蔽シールにおける転写部での断面図である。
【図４】  図４は２０代の肌表面の拡大写真である。
【図５】  図５は、転写部における転写パターン形状の例を示す模式図である。
【図６】  図６は、転写部における転写パターン形状の他の例を示す模式図である。
【符号の説明】
１は化粧用隠蔽シール、２は水性液浸透性ベース基材、３は水溶性の糊層、４は肌色インキ層または光反射抑制インキ層、５は透明接着層、６は剥離性保護フイルム、７は透明保護層、８は転写部である。
【図１】
0004632333.tif 000002
【図２】
0004632333.tif 000003
【図３】
0004632333.tif 000004
【図４】
0004632333.tif 000005
【図５】
0004632333.tif 000006
【図６】
0004632333.tif 000007